(57)【要約】      （修正有）【課題】仏様を拝むときに、お坊さんがいなくともお坊さんの声を聞くことができると共に、難しい御経を上げることもできるので、十分に仏様の供養をすることができているような満足感と共に、有り難さや荘厳さを十分に感じることができるようにした、お祈りを唱えるお坊さんの人形を提供する。【解決手段】お坊さんの姿のように形成された人形本体と、人形本体の内部に設けられ読経の声が記憶された記憶部１６と、人形本体の内部に設けられ読経の声を人形本体の外部に向って発声させるスピーカー部１８と、記憶部１６に記憶された読経の声をスピーカー部１８から発声させるように制御する制御部２０と、ＯＦＦからＯＮの状態へ切換える操作が行われることにより記憶部１６、スピーカー部１８及び制御部２０に通電させて動作させることができるスイッチ部１４とを備えたこと。【選択図】図５
0003163604.tif 000002
【実用新案登録請求の範囲】
【請求項１】
お坊さんの姿のように形成された人形本体と、
前記人形本体の内部に設けられ読経の声が記憶された記憶部と、
前記人形本体の内部に設けられ前記読経の声を人形本体の外部に向って発声させるスピーカー部と、
前記記憶部に記憶された読経の声を前記スピーカー部から発声させるように制御する制御部と、
ＯＦＦからＯＮの状態へ切換える操作が行われることにより前記記憶部、前記スピーカー部及び前記制御部に通電させて動作させることができるスイッチ部と
を備えたことを特徴とするお祈りを唱えるお坊さんの人形。
【請求項２】
お坊さんの姿のように形成され、お辞儀をするように頭部が前後に動くことができる人形本体と、
前記人形本体の内部に設けられ読経の声が記憶された記憶部と、
前記人形本体の内部に設けられ前記読経の声を人形本体の外部に向って発声させるスピーカー部と、
前記人形本体の頭部を前後に動くように駆動する駆動部と、
前記記憶部に記憶された読経の声を前記スピーカー部から発声させると共に、前記駆動部により前記人形本体の頭部を前後に動くように制御する制御部と、
ＯＦＦからＯＮの状態へ切換える操作が行われることにより前記記憶部、前記スピーカー部、前記駆動部及び前記制御部に通電させて動作させることができるスイッチ部と
を備えたことを特徴とするお祈りを唱えるお坊さんの人形。
【請求項３】
お坊さんの姿のように形成され、お辞儀をするように頭部が前後に動くことができる人形本体と、
前記人形本体の内部に設けられ読経の声が記憶された記憶部と、
前記人形本体の内部に設けられ前記読経の声を人形本体の外部に向って発声させるスピーカー部と、
前記人形本体の頭部を前後に動くように駆動する駆動部と、
前記記憶部に記憶された読経の声を前記スピーカー部から発声させると共に、前記駆動部により前記人形本体の頭部を前後に動くように制御する制御部と、
ＯＦＦからＯＮの状態へ切換える操作が行われることにより前記記憶部、前記スピーカー部及び前記制御部に通電させて動作させることができる第１のスイッチ部と、
ＯＦＦからＯＮの状態へ切換える操作が行われることにより前記駆動部及び前記制御部に通電させて動作させることができる第２のスイッチ部と
を備えたことを特徴とするお祈りを唱えるお坊さんの人形。
【考案の詳細な説明】
【技術分野】
【０００１】
本考案は、本物のお坊さんの代わりにお祈りを唱えることができるお坊さんの人形に関するものである。
【背景技術】
【０００２】
従来は、お盆やお彼岸のとき等のように、自宅にお坊さんに来てもらって読経を上げてもらうときは、まさにお坊さんの生の声で、難しい読経を聞きながら仏様を拝むことができるので、十分に仏様の供養をすることができているような満足感と共に、有り難さや荘厳さを十分に感じることができた。
【考案の開示】
【考案が解決しようとする課題】
【０００３】
しかしながら、お盆でもお彼岸でもない日常の生活において、家族だけで仏様に向かって拝んでも、お坊さんの生の声を聞くことができないだけでなく、難しい読経を上げることができないので、十分に仏様の供養をすることができていないのではという不安を感じてしまう反面、有り難さや荘厳さを十分に感じることができないという問題があった。
【０００４】
そこで本考案は、上記問題点に鑑みて、仏様を拝むときに、お坊さんがいなくともお坊さんの声を聞くことができると共に、難しい読経を上げることもできるので、十分に仏様の供養をすることができているような満足感と共に、有り難さや荘厳さを十分に感じることができるようにした、お祈りを唱えるお坊さんの人形を提供することを課題とするものである。
【課題を解決するための手段】
【０００５】
上記課題を解決するために、本考案によるお祈りを唱えるお坊さんの人形は、
お坊さんの姿のように形成された人形本体と、
前記人形本体の内部に設けられ読経の声が記憶された記憶部と、
前記人形本体の内部に設けられ前記読経の声を人形本体の外部に向って発声させるスピーカー部と、
前記記憶部に記憶された読経の声を前記スピーカー部から発声させるように制御する制御部と、
ＯＦＦからＯＮの状態へ切換える操作が行われることにより前記記憶部、前記スピーカー部及び前記制御部に通電させて動作させることができるスイッチ部と
を備えたことを特徴とするものである。
【０００６】
また、本考案によるお祈りを唱えるお坊さんの人形は、
お坊さんの姿のように形成され、お辞儀をするように頭部が前後に動くことができる人形本体と、
前記人形本体の内部に設けられ読経の声が記憶された記憶部と、
前記人形本体の内部に設けられ前記読経の声を人形本体の外部に向って発声させるスピーカー部と、
前記人形本体の頭部を前後に動くように駆動する駆動部と、
前記記憶部に記憶された読経の声を前記スピーカー部から発声させると共に、前記駆動部により前記人形本体の頭部を前後に動くように制御する制御部と、
ＯＦＦからＯＮの状態へ切換える操作が行われることにより前記記憶部、前記スピーカー部、前記駆動部及び前記制御部に通電させて動作させることができるスイッチ部と
を備えたことを特徴とするものである。
【０００７】
また、本考案によるお祈りを唱えるお坊さんの人形は、
お坊さんの姿のように形成され、お辞儀をするように頭部が前後に動くことができる人形本体と、
前記人形本体の内部に設けられ読経の声が記憶された記憶部と、
前記人形本体の内部に設けられ前記読経の声を人形本体の外部に向って発声させるスピーカー部と、
前記人形本体の頭部を前後に動くように駆動する駆動部と、
前記記憶部に記憶された読経の声を前記スピーカー部から発声させると共に、前記駆動部により前記人形本体の頭部を前後に動くように制御する制御部と、
ＯＦＦからＯＮの状態へ切換える操作が行われることにより前記記憶部、前記スピーカー部及び前記制御部に通電させて動作させることができる第１のスイッチ部と、
ＯＦＦからＯＮの状態へ切換える操作が行われることにより前記駆動部及び前記制御部に通電させて動作させることができる第２のスイッチ部と
を備えたことを特徴とするものである。
【考案の効果】
【０００８】
本考案に係る、お祈りを唱えるお坊さんの人形によれば、
お坊さんの姿のように形成された人形本体と、
前記人形本体の内部に設けられ読経の声が記憶された記憶部と、
前記人形本体の内部に設けられ前記読経の声を人形本体の外部に向って発声させるスピーカー部と、
前記記憶部に記憶された読経の声を前記スピーカー部から発声させるように制御する制御部と、
ＯＦＦからＯＮの状態へ切換える操作が行われることにより前記記憶部、前記スピーカー部及び前記制御部に通電させて動作させることができるスイッチ部と
を備えたことにより、
仏様を拝むときに、お坊さんがいなくともお坊さんの声を聞くことができると共に、難しい読経を上げることもできるので、十分に仏様の供養をすることができているような満足感と共に、有り難さや荘厳さを十分に感じることができる。
【図面の簡単な説明】
【０００９】
【図１】本考案の第１の実施の形態に係るお祈りを唱えるお坊さんの人形１０の使用状態を示す図である。
【図２】本考案の第１の実施の形態に係るお坊さんの人形１０の人形本体１０ａを前から見たその正面図である。
【図３】図２に示すお坊さんの人形１０の人形本体１０ａを横から見たその側面図である。
【図４】図２に示すお坊さんの人形１０の人形本体１０ａを背後から見たその背面図である。
【図５】本考案の第１の実施の形態に係るお坊さんの人形１０の人形本体１０ａに内蔵された各種部品の回路接続図である。
【図６】本考案の第２の実施の形態に係るお坊さんの人形３０の動作状態を示す人形本体３０ａの側面図である。
【図７】本考案の第２の実施の形態に係るお祈りを唱えるお坊さんの人形３０の人形本体３０ａに内蔵された各種部品の回路接続図である。
【図８】本考案の第３の実施の形態に係るお祈りを唱えるお坊さんの人形４０の人形本体４０ａを背後から見たその背面図である。
【図９】本考案の第３の実施の形態に係るお坊さんの人形４０の人形本体４０ａに内蔵された各種部品の回路接続図である。
【考案を実施するための形態】
【００１０】
以下、本考案に係る、お祈りを唱えるお坊さんの人形の実施の形態について、図面に基づいて具体的に説明する。
図１から図５は、本考案の第１の実施の形態に係る、お祈りを唱えるお坊さんの人形１０について説明するために参照する図である。
【００１１】
図１に示すように、本実施の形態に係るお祈りを唱えるお坊さんの人形１０は、御仏壇１２の前に、互いに向き合わせて置かれるようになっている。そして、そのお坊さんの人形１０の後方には、家族の人達が座ってお祈りをするようになっている。
【００１２】
図２から図４に示すように、お祈りを唱えるお坊さんの人形１０は、その外形を有する人形本体１０ａが、お坊さんの姿のようにその外形が形成されている。
【００１３】
すなわち図２は、御仏壇１２と向き合うお坊さんの人形１０を、その人形本体１０ａの前から見た（御仏壇１２側から見た）正面図、図３は、お坊さんの人形１０をその人形本体１０ａの横から見た側面図、図４は、お坊さんの人形１０をその人形本体１０ａの背後から見た、家族から見えるその背面図である。
【００１４】
人形本体１０ａの外側からは見えないが、その人形本体１０ａの内部には、図５に示すような各種部品が内蔵されている。
【００１５】
この内蔵されている部品としては、操作箇所１４ａを外側から操作することにより、ＯＦＦからＯＮの状態へ切換える操作が行われて、すべての部品に駆動電源を投入して（通電させて）動作を開始させるスイッチ部１４と、読経の声が記憶された記憶部１６と、お坊さんの人形１０の外部に向って読経の声を発声させるスピーカー部１８と、記憶部１６に記憶された読経の声をスピーカー部１８から発声させるよう制御動作する制御部２０が内蔵されている。
【００１６】
但し、図１，３，４に示すように、スイッチ部１４の操作箇所１４ａだけは、人形本体１０ａの外側から見える所、すなわち、人形本体１０ａのお尻の部分に設けられている。このスイッチ部１４の操作箇所１４ａは、人形本体１０ａのお尻の部分に限定される必要はなく、人形本体１０ａの背中とか腰などの、他の箇所に設けてもよい。
【００１７】
スイッチ部１４としては、スイッチとして動作するものであれば、シーソー式スイッチ等、どのようなタイプのスイッチでもよい。
【００１８】
記憶部１６としては、読経の声が記憶されるものであれば、録音テープ、ＩＣメモリ等、どのようなタイプの記憶手段でもよい。
【００１９】
スピーカー部１８は、外部に向って読経の声を発声させることができれば、人形本体１０ａのお腹とか背中等のどの場所に設けてもよく、例えばお腹の方に設けるときは、人形本体１０ａの肉厚のお腹の部分に多数の小孔を開口して、その肉厚のお腹の部分の内側にスピーカー部１８を設けることができる。
【００２０】
次に、お祈りを唱えるお坊さんの人形１０の使用方法について説明する。
まず、図１に示すように、お祈りを唱えるお坊さんの人形１０の人形本体１０ａを御仏壇１２の前に置く。それからお坊さんの人形１０の人形本体１０ａの後方に家族の人達が座る。
【００２１】
そうしたらその家族の人達のうちの、最もお坊さんの人形１０に近い所にいる人が、お坊さんの人形１０のスイッチ部１４の操作箇所１４ａを、指でＯＮに操作する。すると、人形本体１０ａに内蔵された各種部品が動作して、スピーカー部１８から外部に向って読経の声が発声されてお祈りが始まる。このようにして、お坊さんの人形１０から聞こえてくる読経に合わせて、家族の人達も読経を上げて（できない人は読経を聞きながら）、全員一緒にお祈りをすることができる。
【００２２】
このため、本考案の第１の実施の形態に係るお祈りを唱えるお坊さんの人形１０によれば、日常生活において仏様を拝むときに、お坊さんがいなくともお坊さんの声を聞くことができると共に、難しい読経を上げることもできるので、お坊さんと一緒に拝んでいるような気がしてきて、十分に仏様の供養をすることができているような満足感と共に、有り難さや荘厳さを十分に感じることができる。
【００２３】
図６及び図７は、本考案の第２の実施の形態に係るお祈りを唱えるお坊さんの人形３０について説明するために参照する図である。
【００２４】
この第２の実施の形態に係るお坊さんの人形３０の人形本体３０ａは、図６に示すように、お辞儀をするように頭部３０ｂが前後に動くことができるようになっている。このため、図７に示すように、人形本体３０ａの頭部３０ｂを前後に動かすための機械的な駆動部３２が内蔵されている。
【００２５】
人形本体３０ａ内には、駆動部３２の他に、前記第１の実施の形態に係るお坊さんの人形１０の人形本体１０ａに内蔵された各種部品と同様の部品、ずなわち、スイッチ部１４、記憶部１６及びスピーカ部１８が内蔵されている。
【００２６】
このようなお祈りを唱えるお坊さんの人形３０は、スイッチ部１４の操作箇所１４ａを指で操作すると、ＯＦＦからＯＮの状態へ切換える操作が行われて、スピーカー部１８から外部に向って読経の声が発声されるだけでなく、駆動部３２が人形本体３０ａの頭部３０ｂを前後に動かすように制御部２０により制御されるため、お坊さんの人形３０は読経を上げながらお辞儀をすることができる。
【００２７】
このため、本考案の第２の実施の形態に係る、お祈りを唱えるお坊さんの人形３０によれば、お坊さんの人形３０は読経を上げながらお辞儀をすることもできるので、より一層お坊さんと一緒に拝んでいるような気がして、十分に仏様の供養をすることができているような満足感と共に、有り難さや荘厳さを十分に感じることができる。
【００２８】
図８及び図９は、本考案の第３の実施の形態に係るお祈りを唱えるお坊さんの人形４０について説明するために参照する図である。
【００２９】
この第３の実施の形態に係るお祈りを唱えるお坊さんの人形４０は、図８及び図９に示すように、その人形本体４０ａに、第１のスイッチ部１５と、第２のスイッチ部１７の、２つのスイッチ部を有している点において、前記実施の形態に係るお祈りを唱えるお坊さんの人形１０，３０と異なるものである。
【００３０】
そして、その２つのスイッチ部１５，１７のいずれか一方について、ＯＦＦからＯＮの状態へ切換える操作が行われると、スピーカー部１８から外部に向って読経の声が発声されるように制御部２０により制御され、そのスイッチ部１５，１７のいずれか他方について同様の操作が行われると、駆動部３２が人形本体４０ａの頭部４０ｂを前後に動かすように制御されるようになっている。
【００３１】
すなわち、スピーカー部１８と駆動部３２がそれぞれ、制御部２０により別々に独自に制御されるようになっている。このため、読経の声が発声されていなければならない場合と、お辞儀をしなければならない場合を分けて動作させることができる。
【００３２】
このため、本考案の第３の実施の形態に係るお坊さんの人形４０によれば、読経の声が発声されていなければならない場合と、お辞儀をしなければならない場合を分けて動作させることができるため、お祈りの作法に忠実に合わせてお祈りすることができるので、さらに一層、仏様の供養をすることができているような満足感と共に、有り難さや荘厳さを十分に感じることができる。
【００３３】
なお、前記実施の形態に係るお祈りを唱えるお坊さんの人形１０，３０，４０においては、在る宗派の読経を発声させることができるようになっていたが、その読経が記憶されている記憶部１６の媒体を、他の宗派の読経が記憶されている媒体と交換することにより、他の宗派の読経を発声させるようにすることができる。
【００３４】
また、前記実施の形態に係るお祈りを唱えるお坊さんの人形１０においては、人形本体１０ａを御仏壇１２の真前に置く場合について説明したが、人形本体１０ａを御仏壇１２の右側か左側に置いてもよく、或は左右両側に１つずつ置いてもよい。
【００３５】
また、前記実施の形態に係るお祈りを唱えるお坊さんの人形１０においては、人形本体１０ａが、自宅の御仏壇１２の前に置かれる場合について説明したが、お坊さんの人形１０を寺院に持って行って、その人形本体１０ａを寺院の御仏壇の前に置いて使用するようにしてもよい。
【００３６】
また、前記実施の形態に係るお祈りを唱えるお坊さんの人形１０においては、人形本体１０ａを、御仏壇１２が置かれている屋内に置く場合について説明したが、お墓参りのように、墓石が置かれている屋外において、墓石の前に人形本体１０ａを置いて、そこで人形１０に読経を発声させて、お墓参りに来た人達も一緒に声を出して拝むようにしてもよい。
【００３７】
また、このようにお坊さんの人形１０を家から持ち出すときは、そのままでは人が見て驚くかもしれないので、その人形本体１０ａをケースに入れて持ち出すようにすることができる。このとき人形本体１０ａを入れるケースは、開けなくとも中身がすぐに分かるように、例えば、寺院の形にしたケースを使用することができる。
【００３８】
また、前記実施の形態に係るお祈りを唱えるお坊さんの人形１０においては、その人形本体１０ａの大きさは特定されていなかったが、邪魔にならないように実際のお坊さんの身体の大きさの数分の一位の大きさにしてもよいし、或は、部屋が広くて邪魔にならず、使わないときは保管する場所に不自由しなければ、お坊さんと一緒に拝んでいるような気にさせるために、実際のお坊さんと同じ位の大きさにしてもよい。
【００３９】
また、前記実施の形態に係るお祈りを唱えるお坊さんの人形１０の大きさは、屋内で使用するものよりも、屋外で使用するものの方が大きくすることができるが、逆に、屋外で使用するものよりも、屋内で使用するものの方が大きくすることもできる。このため、お坊さんの人形１０の大きさを、使用する人の趣味により自由に選べるようにすることができる。
【符号の説明】
【００４０】
１０    お祈りを唱えるお坊さんの人形
１０ａ  人形本体
１２    御仏壇
１４    スイッチ部
１４ａ  操作箇所
１５    スイッチ部
１６    記憶部
１７    スイッチ部
１８    スピーカー部
２０    制御部
３０    お祈りを唱えるお坊さんの人形
３０ａ  人形本体
３０ｂ  頭部
３２    駆動部
４０    お祈りを唱えるお坊さんの人形
４０ａ  人形本体
４０ｂ  頭部
【図１】
0003163604.tif 000003
【図２】
0003163604.tif 000004
【図３】
0003163604.tif 000005
【図４】
0003163604.tif 000006
【図５】
0003163604.tif 000007
【図６】
0003163604.tif 000008
【図７】
0003163604.tif 000009
【図８】
0003163604.tif 000010
【図９】
0003163604.tif 000011